(57)【特許請求の範囲】
【請求項１】
移動通信機が着信音データと前記着信音データを特定するメロディＩＤとを着信音提供サイトよりダウンロードして、前記着信音データを着信音として設定する第１の過程と、
前記着信音提供サイトが前記移動通信機の加入者番号と前記メロディＩＤをサービス制御局に送信する第２の過程と、
交換機装置が前記移動通信機に対する着信信号を検知した際に、前記移動通信機の着信音提供サービスへの加入の有無を前記サービス制御局へ問い合わせる第３の過程と、
前記移動通信機が呼び出し信号の着信時に前記着信音を発すると共に前記メロディＩＤを前記交換機装置に送信し、前記交換機装置が前記メロディＩＤに基づいて前記移動通信機における着信音発生を検出する第４の過程と、
前記移動通信機が前記呼び出し信号の着信に対する応答時に前記着信音を停止させると共に前記メロディＩＤと音量設定情報を前記交換機装置に送信する第５の過程と、
前記交換機装置が前記第３の過程において前記移動通信機が着信音提供サービスに加入していると判断した際に、前記第４の過程と前記第５の過程における前記メロディＩＤの受信の時間差により前記着信音が発する着信音利用時間を計測する第６の過程と、
前記交換機装置が前記メロディＩＤと前記着信音利用時間と前記音量設定情報と前記移動通信機の加入者番号とからなる着信音利用状況情報を前記サービス制御局へ送信する第７の過程と、
前記サービス制御局が前記着信音利用状況情報を、前記着信音提供サイトに転送する第８の過程と、
を備えることを特徴とする移動通信機の着信音利用状況把握方法。
【請求項２】
前記サービス制御局は前記移動通信機が前記着信音提供サービスへ加入しているかどうかの情報を保持することを特徴とする請求項１に記載の移動通信機の着信音利用状況把握方法。
【請求項３】
移動通信機が着信音データと前記着信音データを特定するメロディＩＤとを着信音提供サイトよりダウンロードして、前記着信音データを着信音として設定する第１の過程と、
前記移動通信機が加入者番号と前記メロディＩＤをサービス制御局に送信する第２の過程と、
交換機装置が前記移動通信機に対する呼び出し信号を検知した際に、前記移動通信機の着信音提供サービスへの加入の有無を前記サービス制御局へ問い合わせる第３の過程と、
前記移動通信機が呼び出し信号の着信時に前記着信音を発すると共に前記メロディＩＤを前記交換機装置に送信し、前記交換機装置が前記メロディＩＤに基づいて前記移動通信機における着信音発生を検出する第４の過程と、
前記移動通信機が前記呼び出し信号の着信に対する応答時に前記着信音を停止させると共に前記メロディＩＤと音量設定情報を前記交換機装置に送信する第５の過程と、
前記交換機装置が前記第３の過程において前記移動通信機が着信音提供サービスに加入していると判断した際に、前記第４の過程と前記第５の過程における前記メロディＩＤの受信の時間差により前記着信音が発する着信音利用時間を計測する第６の過程と、
前記交換機装置が前記メロディＩＤと前記着信音利用時間と前記音量設定情報と前記移動通信機の加入者番号とからなる着信音利用状況情報を前記サービス制御局へ送信し、前記サービス制御局が前記着信音利用状況情報を保持する第７の過程と、
を備えることを特徴とする移動通信機の着信音利用状況把握方法。
【請求項４】
前記サービス制御局は前記移動通信機が前記着信音提供サービスへ加入しているかどうかの情報を保持することを特徴とする請求項３に記載の移動通信機の着信音利用状況把握方法。
【請求項５】
前記着信音提供サイトが前記サービス制御局にアクセスして前記サービス制御局の保持する前記着信音利用状況情報を取得することを特徴とする請求項３に記載の移動通信機の着信音利用状況把握方法。
【発明の詳細な説明】
【０００１】
【発明の属する技術分野】
この発明は、移動通信システムに係り、特に、移動通信機の着信音利用状況把握方法に関するものである。
【０００２】
【従来の技術】
現在、携帯電話機において着信を知らせる着信音は、単なる電子音から音楽性のあるメロディまで様々な着信音が使用されており、携帯電話機のユーザーは携帯電話機購入時から携帯電話機に内蔵されている着信音を使用するか、もしくは通信ネットワーク網を介して接続できる着信音提供サイトより、様々な着信音をダウンロードして、携帯電話機に保存し、着信音として使用している。
【０００３】
【発明が解決しようとする課題】
しかしながら、上述の携帯電話機を用いた移動通信システムにおける着信音提供サイトの管理者や移動通信システムの管理者（携帯電話会社など）は、ユーザーに着信音の提供を行うだけで、ユーザーの携帯電話機で使用されている着信音の種別や曲名を把握する仕組みや、また、携帯電話機が着信時に着信音を発する時間を計測する仕組みなどの、着信音利用状況の情報を検出する機能を備えていなかったので、上述した着信音利用状況の情報を元にしてマーケティングに関する分析を行ない、そこから着信音の提供に伴う新たなサービスや付加価値を生み出すことができなかった。
そこでこの発明は、携帯電話などの移動通信機において設定された着信音の種別や曲名や、着信音が鳴る時間などの着信音利用状況の情報を把握できる機能を備えた、移動通信機の着信音利用状況把握方法を提供することを目的としている。
【０００４】
【課題を解決するための手段】
本発明は、上述の課題を解決すべくなされたもので、請求項１に記載の発明は、移動通信機が着信音データと前記着信音データを特定するメロディＩＤとを着信音提供サイトよりダウンロードして、前記着信音データを着信音として設定する第１の過程と、前記着信音提供サイトが前記移動通信機の加入者番号と前記メロディＩＤをサービス制御局に送信する第２の過程と、交換機装置が前記移動通信機に対する着信信号を検知した際に、前記移動通信機の着信音提供サービスへの加入の有無を前記サービス制御局へ問い合わせる第３の過程と、前記移動通信機が呼び出し信号の着信時に前記着信音を発すると共に前記メロディＩＤを前記交換機装置に送信し、前記交換機装置が前記メロディＩＤに基づいて前記移動通信機における着信音発生を検出する第４の過程と、前記移動通信機が前記呼び出し信号の着信に対する応答時に前記着信音を停止させると共に前記メロディＩＤと音量設定情報を前記交換機装置に送信する第５の過程と、前記交換機装置が前記第３の過程において前記移動通信機が着信音提供サービスに加入していると判断した際に、前記第４の過程と前記第５の過程における前記メロディＩＤの受信の時間差により前記着信音が発する着信音利用時間を計測する第６の過程と、前記交換機装置が前記メロディＩＤと前記着信音利用時間と前記音量設定情報と前記移動通信機の加入者番号とからなる着信音利用状況情報を前記サービス制御局へ送信する第７の過程と、前記サービス制御局が前記着信音利用状況情報を、前記着信音提供サイトに転送する第８の過程とを備えることを特徴とする移動通信機の着信音利用状況把握方法である。
【０００５】
また、請求項２に記載の発明は、請求項１に記載の移動通信装置の着信音利用状況把握方法において、前記サービス制御局が、前記移動通信機が前記着信音提供サービスへ加入しているかどうかの情報を保持することを特徴とする。
【０００６】
また、請求項３に記載の発明は、移動通信機が着信音データと前記着信音データを特定するメロディＩＤとを着信音提供サイトよりダウンロードして、前記着信音データを着信音として設定する第１の過程と、前記移動通信機が加入者番号と前記メロディＩＤをサービス制御局に送信する第２の過程と、交換機装置が前記移動通信機に対する呼び出し信号を検知した際に、前記移動通信機の着信音提供サービスへの加入の有無を前記サービス制御局へ問い合わせる第３の過程と、前記移動通信機が呼び出し信号の着信時に前記着信音を発すると共に前記メロディＩＤを前記交換機装置に送信し、前記交換機装置が前記メロディＩＤに基づいて前記移動通信機における着信音発生を検出する第４の過程と、前記移動通信機が前記呼び出し信号の着信に対する応答時に前記着信音を停止させると共に前記メロディＩＤと音量設定情報を前記交換機装置に送信する第５の過程と、前記交換機装置が前記第３の過程において前記移動通信機が着信音提供サービスに加入していると判断した際に、前記第４の過程と前記第５の過程における前記メロディＩＤの受信の時間差により前記着信音が発する着信音利用時間を計測する第６の過程と、前記交換機装置が前記メロディＩＤと前記着信音利用時間と前記音量設定情報と前記移動通信機の加入者番号とからなる着信音利用状況情報を前記サービス制御局へ送信し、前記サービス制御局が前記着信音利用状況情報を保持する第７の過程とを備えることを特徴とする移動通信機の着信音利用状況把握方法である。
【０００７】
また、請求項４に記載の発明は、請求項３に記載の移動通信装置の着信音利用状況把握方法において、前記サービス制御局が前記移動通信機が前記着信音提供サービスへ加入しているかどうかの情報を保持することを特徴とする。
【０００８】
また、請求項５に記載の発明は、請求項３に記載の移動通信装置の着信音利用状況把握方法において、前記着信音提供サイトが前記サービス制御局にアクセスして前記サービス制御局の保持する前記着信音利用状況情報を取得することを特徴とする。
【０００９】
【発明の実施の形態】
以下、本発明の一実施形態による着信音利用状況把握方法を適用した移動通信システムの構成を図面を参照して説明する。
図１は、同移動通信システムにおいて着信音提供サイトが上位交換機装置と直接接続されている場合の構成を示す概略ブロック図である。図１において移動通信システムとは、基地局と交換機装置と上位交換機装置と着信音提供サイトとサービス制御局により構成されている。また図２は、同移動通信システムにおいて着信音提供サイトが固定網接続部を介したインターネット上に存在する場合の構成を示す概略ブロック図である。図２において移動通信システムとは、着信音提供サイトが固定網接続部を介したインターネット上に存在する場合には、基地局と交換機装置と上位交換機装置とサービス制御局と固定網接続部から構成されている。
【００１０】
図１において符号１は携帯電話機である。２は携帯電話機１と電波の送受信を行なう基地局である。３は移動通信システム内の交換機装置である。４は移動通信システム内の上位交換機装置である。５は着信音を提供する着信音提供サイトである。６は移動通信システムにおいて各種サービスを提供するために設けられたサービス制御局である。また図２において符号１〜６までは図１で示す符号１〜６と同様であり、符号７は移動通信システムとインターネットとの接続を行なう固定網接続部である。８はインターネットである。そして、着信音提供サイト５は、インターネット８を介して固定網接続部７と接続されている。
【００１１】
次に、着信音提供サイトが上位交換機装置４と直接接続されている場合の移動通信システムにおける携帯電話機１の着信音利用状況把握方法を図１、図３、図４、図５を参照して詳細に説明する。図３は着信音提供サイトが上位交換機装置と直接接続されている場合の移動通信システムにおける着信音データのダウンロード処理のフローを示す図である。図４は着信音提供サイトが上位交換機装置と直接接続されている場合の移動通信システムにおける着信音利用状況の把握処理のフローを示す図である。図５は着信音提供サイトが上位交換機装置と直接接続されている場合の移動通信システムにおける着信音データのダウンロードに対する課金処理のフローを示す図である。
【００１２】
まず、図３より、携帯電話機１のユーザーは着信音提供サイト５が提供している着信音提供サービスを利用するにあたり、着信音提供サイトに登録を行うこととなる（ステップＳ１）。これにより、着信音提供サイト５からの着信音データのダウンロードが可能となる。そして、着信音提供サイト５は、着信音提供サービスの登録を行ったユーザーの加入者番号と着信提供サービスの登録の有無を、着信加入者情報として上位交換機装置４を介してサービス制御局６に登録する（ステップＳ２）。これによりサービス制御局は、着信加入者情報として保持する着信音提供サービスの有無により、携帯電話機１のユーザーが着信音提供サービスに登録したユーザーかどうかを判断することができる。ここで、サービス制御局６は例えば、加入者の携帯電話が留守番電話サービスを登録している場合に、携帯電話が留守番機能の設定をしているかどうかを把握して留守番音声を発信側携帯電話に流すサービスなどの、加入者に特定の情報を保持しており、この情報に基づいて各種サービスを行なう機能も備えている。
【００１３】
次に、携帯電話機１のユーザーが着信音データをダウンロードするため、着信音提供サイト５に携帯電話機１よりアクセスを行なう。この時、携帯電話機１からの着信音提供サイト５へのアクセス要求の信号は、制御チャネルと呼ばれる信号で行なわれ、携帯電話機１→基地局２→交換機装置３→上位交換機装置４→着信音提供サイト５の様に転送される（ステップＳ３）。またこの時、着信音提供サイト５は携帯電話機１からのアクセス要求時に携帯電話機１の加入者番号をアクセス要求の信号から検知する。そして、携帯電話機１からのアクセス要求に対する接続完了の信号は、制御チャネルの信号により着信音提供サイト５→上位交換機装置４→交換機装置３→基地局２→携帯電話機１の様に転送される（ステップＳ４）。この携帯電話機１からの着信音提供サイト５へのアクセスにより、携帯電話機１の表示部には着信音提供サイト５で提供する着信音指定を行なう画面が表示され、この画面からユーザーが好みの着信音を指定してその着信音データのダウンロードを行なう。
【００１４】
次に、携帯電話機１のユーザーが好みの着信音を指定すると、着信音提供サイト５は着信音データを上位交換機、交換機装置、基地局を介して携帯電話機１へ送信するが、この時、着信音データと共に、着信音データを識別するメロディＩＤを同時に送信する（ステップＳ５）。そして着信音データとメロディＩＤは共にリンクして携帯電話機１に記憶される。ここで、着信音データとメロディＩＤのダウンロードは、情報チャネルと呼ばれる信号によって行なわれる。
【００１５】
次に、携帯電話機１への着信音データとメロディＩＤのダウンロードが完了すると、着信音提供サイト５は、サービス制御局６に対し、着信音データと共に送信したメロディＩＤと携帯電話機１の加入者番号とからなる着信音情報を制御チャネルの信号を用いて送信する（ステップＳ６）。携帯電話機１の加入者番号は、ステップＳ１における携帯電話機１の着信音提供サイト５へのアクセス時に通知されているので、着信音提供サイト５はステップＳ４において加入者番号をサービス制御局６に対して送信することが出来る。サービス制御局６は着信音提供サイト５より送信を受けたメロディＩＤと加入者番号を共にリンクして記憶する。そして、携帯電話機１のユーザーがステップＳ３〜ステップＳ５においてダウンロードした着信音データを着信音として設定する。
【００１６】
次に、他の携帯電話機（発信側携帯電話機）が携帯電話機１と通話をする為に発信すると、発信側携帯電話機からの発信の信号が交換機装置３に届く（図４のステップＳ７）。そして、交換機装置３が着信加入者情報を読み出す為、発信側携帯電話からの発信信号に付属する携帯電話機１の加入者番号をサービス制御局６に通知する（ステップＳ８）。ここでサービス制御局６が、携帯電話機１の加入者番号を基にステップＳ２において着信音提供サイト５より登録を受けた着信加入者情報を確認し、携帯電話機１のユーザーが着信音提供サービスに加入していることを検知すると、サービス制御局は着信音提供サービスの利用ＯＮを示す着信音課金情報を交換機装置３に送信する（ステップＳ９）。
【００１７】
交換機装置３は着信音課金情報より、携帯電話１のユーザーが着信音提供サービスに加入していることを検知すると、その情報を保持して、携帯電話機１の着信信号を基地局２へ送信する。そして基地局２は携帯電話機１へ着信信号を送信する（ステップＳ１０）。ここで、携帯電話機１は着信の信号を受信すると、図３のステップＳ５でダウンロードし設定した着信音を発する。そして着信音を発すると共に、着信音のメロディＩＤを基地局２を介して交換機装置３へ送信する。交換機装置３はメロディＩＤを受信して保持する（ステップＳ１１）。
【００１８】
ここで、交換機装置３はステップＳ７においてサービス制御局６から受信した着信音課金情報により、携帯電話機１のユーザーが着信音提供サービスに加入していることを把握しているので、携帯電話機１が着信音を発し始めてから、携帯電話機１のユーザーがその着信に応答するまでの着信音使用時間の計測を、メロディＩＤの受信により開始する（ステップＳ１２）。そして、携帯電話機１のユーザーが着信に対する応答を行なうと、携帯電話１の着信音が鳴り止み、これにより、応答の信号が制御チャネルの信号により交換機装置３に送信される。この時、応答の信号と共にメロディＩＤと着信音の音量設定情報が交換機装置３に送信され、交換機装置３でこれらの情報を保持する（ステップＳ１３）。
【００１９】
交換機装置３はステップＳ１３におけるメロディＩＤの受信を受けて、携帯電話機１における着信音使用時間の計測を終了する。交換機装置３は計測した着信音使用時間情報を保持し、そして、携帯電話機１の加入者番号、メロディＩＤ、着信音使用時間、着信音の音量の各情報を着信音利用状況情報として、サービス制御局６に送信する（ステップＳ１４）。
【００２０】
ここで、サービス制御局６は、交換機装置１より受信した着信音利用状況情報を保持して、また、着信音利用状況情報のメロディＩＤと加入者番号から、携帯電話機１で使用した着信音を検出し、その着信音が着信音使用時間分だけ使用されたことを検出する。また、着信音利用状況情報のメロディＩＤと加入者番号の組み合わせと、ステップＳ４で着信音提供サイト５から受信したメロディＩＤと加入者番号とを照合して、同じ組み合わせである事を確認し、加入者番号の携帯電話機１が着信音提供サイトよりダウンロードした着信音を使用していることを確認する。そして、サービス制御局６は、加入者番号とメロディＩＤの組み合わせの照合が正常に行なわれた旨の情報を交換機装置３に送信する（ステップＳ１５）。サービス制御局６は、ステップＳ１２で受信した着信音利用状況情報を着信音提供サイト５へ送信する（ステップＳ１６）。
【００２１】
次に、着信音提供サイト５において、携帯電話機１で使用された着信音と、その利用時間と、着信音の音量が把握できたので、これら着信音利用状況情報を元に、着信音の使用料金を徴収したり、逆に、着信音を使用したことによって料金を支払ったり、また、着信音利用状況情報を用いて新たな付加価値やサービスを生み出すことができる。図５より、着信音提供サイト５はステップＳ１６において受信した着信音利用状況情報を元に、着信音毎に設定された課金形態もしくは料金支払い形態で、携帯電話機１のユーザーに課金もしくは料金支払いをするにあたり、着信音利用状況情報の着信音や利用時間などに基づいて課金情報や料金支払い情報や通話量割引率情報などを上位交換機装置４、交換機装置３を介してサービス制御局６に送信し、課金指示を行なう（ステップＳ１７）。この時、着信音提供サイト５は、交換機装置３に課金情報や料金支払い情報や通話料割引率情報を送信すると共に、対象の加入者番号を送信する。そして、交換機装置３はステップＳ１７の課金指示で受けた情報をサービス制御局６に送信して登録する（ステップＳ１８）。ステップＳ１８においてサービス制御局６に登録された情報を基に、例えば移動通信システムの管理者となる携帯電話会社は、携帯電話機１のユーザーに対して料金徴収や料金支払いを行うことができる。
【００２２】
次に、着信音提供サイト５が固定網接続部を介したインターネット上に存在する場合の移動通信システムにおける携帯電話機１の着信音利用状況把握方法を、図２、図６、図７、図８を参照して詳細に説明する。図６は着信音提供サイト５が固定網接続部を介したインターネット上に存在する場合の移動通信システムにおける着信音データのダウンロード処理のフローを示す図である。図７は着信音提供サイトが固定網接続部を介したインターネット上に存在する場合の移動通信システムにおける着信音利用状況の把握処理のフローを示す図である。図８は着信音提供サイトが固定網接続部を介したインターネット上に存在する場合に着信音提供サイトが着信音利用状況情報を取得する際のフローを示す図である。
【００２３】
図６において、ステップＳ１からステップＳ５までの流れは、図３に示す着信音提供サイトが上位交換機装置と直接接続されている場合の移動通信システムにおける着信音ダウンロード処理のフローと同様である。そして、ステップＳ５において着信音データ及びメロディＩＤを受信した後に、携帯電話機１が直接サービス制御局６に対して、ダウンロードした着信音データに対応するメロディＩＤ及び加入者番号を送信する（ステップＳ６ａ）。着信音提供サイト５が上位交換機装置と直接接続されている場合と異なり、固定網接続部を介したインターネット上に存在するため、携帯電話機１の加入者番号などの情報を移動通信システム外に出さないよう、携帯電話機１よりサービス制御局６にメロディＩＤと加入者番号を送信している。しかしながら、移動通信システムの外部にある着信音提供サイト５が固定網接続部との間の通信において暗号化などのセキュリティ強化が図られている場合は、着信音提供サイト５が移動通信システム内に備えられている場合と同様に、着信音データとメロディＩＤの携帯電話機１へのダウンロードの後に、着信音提供サイト５から加入者番号とメロディＩＤとをサービス制御局６に送信しても良い。
【００２４】
次に、図７より、ユーザーが携帯電話機１においてダウンロードした着信音データを着信音として設定した場合、携帯電話機１における発信側携帯電話機からの着信と、それに伴う着信音利用状況把握のステップＳ７〜ステップＳ１５の処理は、図４における着信音提供サイト５が移動通信システム内に備えられている場合と同様である。ステップＳ１５の後、着信音提供サイト５が移動通信システム内に備えられている場合には図４のステップＳ１６においてサービス制御局６が着信音提供サイトに着信音利用状況情報の送信を行ったが、着信音提供サイト５が移動通信システム外に備えられている場合には、サービス制御局６が着信音利用状況の情報をそのまま保持する。
【００２５】
次に、図８より、着信音提供サイト５が固定網接続部を介したインターネット上に存在する場合には、ステップＳ１５においてサービス制御局６に保持した着信音利用状況の情報は、着信音提供サイト５によって、定期的にもしくは必要な時に確認される（ステップＳ１９）。そして加入者番号やメロディＩＤや利用時間情報や音量などの情報からなる着信音利用状況情報がサービス制御局６より、交換機装置３、上位交換機装置４、固定網接続部７を介して着信音提供サイト５に送信される（ステップＳ２０）。
【００２６】
ステップＳ２０において、着信音提供サイト５へ着信音利用状況情報の通知が行われたことにより、着信音提供サイト５の管理者は、着信音利用状況情報の着信音使用時間やメロディＩＤに基づいて、料金徴収の請求や、料金の支払いを、携帯電話機１のユーザーの銀行口座に対して行うことができる。例えば、メロディＩＤから携帯電話機１で使用している着信音が検出できるので、この着信音に限定着信音としての付加価値をつけた場合、着信音の使用料金を徴収するサービスを行うことができ、また、計測した着信音使用時間を基に、この時間分の料金を徴収するサービスを行うこともできる。
【００２７】
ここで、着信音提供サイト５の管理者はユーザーの銀行口座へ直接、料金徴収や料金支払いを行うことになるので、固定網接続部を介したインターネット上に存在する着信音提供サイトからの着信音データのダウンロードを行うにあたり携帯電話機１のユーザーは、着信音提供サイト５と契約し、引き落とし銀行や口座番号などの情報を契約時に登録する必要がある。しかしながら、着信音提供サイト５が移動通信システム外に備えられている場合でも、携帯電話会社などの移動通信システム管理者が着信音提供サイト５の依頼により、ユーザーに対して料金徴収や料金支払いを行うことも出来る。
【００２８】
また、着信音提供サイト６の管理者は、収集した着信音利用状況情報を基に、着信音の趣向調査や、着信から応答までの時間の長さの調査や、着信に気付く適量な音量などの調査を行うことができるので、着信音利用状況情報を統計情報として利用することができる。例えば、着信音提供サイトの管理者は、携帯電話のユーザーが利用する着信音の統計情報を基に携帯電話のユーザーの趣向に応じた着信音データを取り揃えることが出来る。そして、ユーザーの趣向に応じた着信音の提供により着信音提供サイトの人気度が上がれば、着信音データのダウンロードに課金が伴う場合、営業利益が増加することとなる。
【００２９】
また、着信音の使用時間量に対する課金だけではなく、着信音を企業や商品を想像できる着信音とした場合、着信音に広告や宣伝の効果が付与されることとなるので、着信音の使用時間量を計測することで、携帯電話会社や着信音の提供サイトを経営する会社は、携帯電話のユーザーに広告や宣伝の対価を支払うことが出来、また、通信料金の割引などのサービスを付与することができる。
【００３０】
【発明の効果】
以上説明したように、この発明によれば、携帯電話機が着信音データを着信音提供サイトよりダウンロードする際に、着信音データに対となるメロディＩＤを共にダウンロードし、携帯電話機が着信し着信音を発する際に着信音と共にダウンロードしたメロディＩＤを交換機装置に送信するので、着信時に携帯電話機から送信されるメロディＩＤと、着信に応答した際の着信音停止時に携帯電話機から送信されるメロディＩＤとを交換機装置が受信し、前後のメロディＩＤの受信間隔を測ることにより、携帯電話機で着信音を使用した時間を計測することができる。
【図面の簡単な説明】
【図１】この発明の一実施形態による移動通信システムにおいて着信音提供サイトが上位交換機装置と直接接続されている場合の構成を示す概略ブロック図である。
【図２】同移動通信システムにおいて着信音提供サイトが固定網接続部を介したインターネット上に存在する場合の構成を示す概略ブロック図である。
【図３】着信音提供サイトが上位交換機装置と直接接続されている場合の移動通信システムにおける着信音データのダウンロード処理のフローを示す図である。
【図４】着信音提供サイトが上位交換機装置と直接接続されている場合の移動通信システムにおける着信音利用状況の把握処理のフローを示す図である。
【図５】着信音提供サイトが上位交換機装置と直接接続されている場合の移動通信システムにおける着信音データのダウンロードに対する課金処理のフローを示す図である。
【図６】着信音提供サイト５が固定網接続部を介したインターネット上に存在する場合の移動通信システムにおける着信音データのダウンロード処理のフローを示す図である。
【図７】着信音提供サイトが固定網接続部を介したインターネット上に存在する場合の移動通信システムにおける着信音利用状況の把握処理のフローを示す図である。
【図８】着信音提供サイトが固定網接続部を介したインターネット上に存在する場合に着信音提供サイトが着信音利用状況情報を取得する際のフローを示す図である。
【符号の説明】
１  携帯電話機
２  基地局
３  交換機装置
４  上位交換機装置
５  着信音提供サイト
６  サービス制御局
７  固定網接続部
【図１】
0003588085.tif 000002
【図２】
0003588085.tif 000003
【図３】
0003588085.tif 000004
【図４】
0003588085.tif 000005
【図５】
0003588085.tif 000006
【図６】
0003588085.tif 000007
【図７】
0003588085.tif 000008
【図８】
0003588085.tif 000009